(57)【要約】【課題】無線タグを利用したトイレ用機器の制御機構を提供する。【解決手段】便座２２に、ＩＣチップ１・タグアンテナ２・着座スイッチ３から成る無線タグＴを配置して着座センサーと成す。また温水洗浄装置のリモコンを、無線タグで構成する。検出装置１０、検出アンテナ１１及び制御装置はケース２３内に収納する。初期状態では着座スイッチ３はＯＦＦであり、制御装置は温水洗浄装置が誤ってスイッチ操作されても起動しない状態に保持する。便座に使用者が着座すると着座スイッチ３がＯＮになり、無線タグＴが応答信号を返信することにより、制御装置が温水洗浄装置や温風ファンを動作可能な状態に移行させる。検出アンテナ１１を無線タグＴとの交信感度が大きくなる方向に回動可能とする。リモコンＲが便器２１の左右いずれ側に設置されても、交信を確実にできる。【選択図】      図１
2005323991.tif 000002
【特許請求の範囲】
【請求項１】
トイレに設置される機器の動作を制御する制御装置と、電波の送受信機能を備え前記制御装置に検知信号を出力する検出装置と、前記検出装置から送信される質問信号に応答して当該検出装置へ応答信号を返信する機能を備える無線タグとから構成され、前記制御装置，検出装置及び無線タグはトイレに設置される便器又はその近傍に配置され、前記無線タグは所定条件に応じて信号送信機能を有効又は無効にするスイッチを有し、前記検出装置が無線タグからの応答信号の有無を検出して前記制御装置へ検知信号を出力し、この検知信号に基づき前記制御装置が前記機器を動作させるか又は動作可能な状態にするように設定されていることを特徴とするトイレ用機器の制御機構。
【請求項２】
前記無線タグのスイッチを、加圧によって動作する感圧スイッチ又は人体との接触により体温で動作する感温スイッチで構成し、前記無線タグを便座に配設して着座センサーとした請求項１に記載するトイレ用機器の制御機構。
【請求項３】
前記無線タグのスイッチを、環境温度によって動作する感温スイッチで構成し、前記無線タグをリモコンに配設して温度センサーとした請求項１に記載するトイレ用機器の制御機構。
【請求項４】
トイレ用機器の動作を操作するリモコンが前記無線タグにより構成され、当該無線タグは、異なる保持情報を持った複数のＩＣチップ及び各ＩＣチップの信号送信機能を個別に有効又は無効にできる複数のスイッチを有している請求項１に記載するトイレ用機器の制御機構。
【請求項５】
前記検出装置の検出アンテナは、複数の交信方向から最適な方向を選択可能なように構成されている請求項１乃至４のいずれかに記載するトイレ用機器の制御機構。
【請求項６】
前記検出装置の検出アンテナは、リモコンの設置位置に向かって回動可能に構成されている請求項５に記載するトイレ用機器の制御機構。
【請求項７】
前記検出アンテナを回動させる回動手段と、検出アンテナの回動角度変化に伴う無線タグとの交信感度の増減を測定する手段と、前記回動手段を制御して交信感度ができるだけ大きくなるように検出アンテナの回動角度を調節する手段とを備えた請求項６に記載するトイレ用機器の制御機構。
【請求項８】
前記検出装置の検出アンテナは、交信方向が異なる複数のアンテナ部分から構成され、リモコン装置の設置位置に基づいて選択した特定のアンテナ部分を交信に使用するよう設定されている請求項５に記載するトイレ用機器の制御機構。
【請求項９】
前記検出装置の検出アンテナは、交信方向が異なる複数のアンテナ部分から構成され、各アンテナ部分を順次使用するように設定されている請求項５に記載するトイレ用機器の制御機構。
【請求項１０】
前記検出装置及びこの検出装置に設けられる検出アンテナを、便器に載設され各種機器を収納するケース内に配設した請求項１乃至９に記載するトイレ用機器の制御機構。
【発明の詳細な説明】
【技術分野】
【０００１】
本発明は、無線タグを利用して、トイレに設置される温水洗浄装置や脱臭装置などの各種機器の動作を制御するための機構に関する。
【背景技術】
【０００２】
トイレに設置される便器に温水洗浄装置や脱臭装置を装備した場合において、使用者が便座に着座しない限り温水洗浄装置が動作せず、使用者が便座に着座したことを検知すると、脱臭装置を起動させると共に、温水洗浄装置を使用できるようにする制御機構が従来採用されている。例えば特許文献１に、圧力センサや加速度センサ等よりなる着座センサを便座に設け、人が着座しているか否かを検知することにより、温水洗浄装置や脱臭装置の誤動作を防止することが記載されている。
【０００３】
また、トイレに設置した温水洗浄装置等の動作をリモコンで制御することも従来採用されており、例えば特許文献２に、トイレ室の壁面に設置したリモコンによって、便器に備えられる温水洗浄装置・乾燥装置・便座ヒータ等の動作を制御するトイレ装置が記載されており、トイレ装置の主制御手段とリモコンとは、電波や赤外線、超音波等で交信するとされている。
【特許文献１】実開平０７−９１９７号公報
【特許文献２】特開２０００−１４６０１公報
【発明の開示】
【発明が解決しようとする課題】
【０００４】
特許文献１では、便座に配置される着座センサと、信号検出部や駆動回路とを、配線によって接続している。ところで便座を暖房便座とした場合、便座内に組み込まれるヒータにも、電力供給用の配線が接続される。このため、着座センサ用の配線とヒータ用の配線とが隣接すると、ヒータから発生するノイズが、着座センサから出力される検知信号に混入し易く、温水洗浄装置等各種機器の誤動作を引き起こすおそれがあった。また一般に、便座から配線を引き出すための経路は限られているから、前記配線を隣接させないようにするのは実際には困難である。
【０００５】
特許文献２のトイレ装置は、主制御手段へ電波信号を出力するための動作電源がリモコンに必要である。このため、リモコンに別途配線工事を施すことが考えられるが、この場合は工事に手間がかかるだけでなく、配線の都合上、リモコンの設置箇所を自由に選択するのが難しいという欠点がある。そこでリモコンに電池を内蔵させて配線工事を不要にすることも考えられるが、この場合は、電池残量を常時監視しなくてはならず、電池残量が不足したときはリモコンが正常に動作しなくなるという問題があった。さらに、リモコンの設置位置と、制御手段に備えられる交信用アンテナの向きとの関係によっては、充分な受信強度が得られず、リモコン操作に対する機器の反応性が悪くなるおそれがあった。
【課題を解決するための手段】
【０００６】
前記従来の第１の問題点を解決するために本発明が採用したトイレ用機器の制御機構の特徴とするところは、トイレに設置される機器の動作を制御する制御装置と、電波の送受信機能を備え前記制御装置に検知信号を出力する検出装置と、前記検出装置から送信される質問信号に応答して当該検出装置へ応答信号を返信する機能を備える無線タグとから構成され、前記制御装置，検出装置及び無線タグはトイレに設置される便器又はその近傍に配置され、前記無線タグは所定条件に応じて信号送信機能を有効又は無効にするスイッチを有し、前記検出装置が無線タグからの応答信号の有無を検出して前記制御装置へ検知信号を出力し、この検知信号に基づき前記制御装置が前記機器を動作させるか又は動作可能な状態にするように設定されていることである。
【０００７】
前記無線タグは、例えば検出装置から送信される電波を利用して電力を生起させ、記憶部に保持した情報に基づき受信電波を変調し、応答信号を生成して送信するものである。通常、応答信号には、無線タグを識別するための個体情報や用途・位置情報などが含まれる。無線タグはセンサとして機能させるものであり、検知対象に応じて設置場所が選定される。例えば、着座センサとして利用するときは便座に配置し、室温センサとして利用するときは壁面に配置すればよい。
【０００８】
無線タグに設けられるスイッチは、外力や環境変化に基づいて回路を開閉するものである。例を挙げると、バネで常時開又は常時閉に付勢された開閉器，押圧力の作用により電気抵抗が変化する感圧導電体、バイメタルにより動作する開閉器等が考えられる。なおスイッチの無線タグに対する組込み位置は、タグアンテナの回路途中のほか、ＩＣチップの回路内の場合も考えられる。
【０００９】
本発明に係る制御機構の検出装置は、無線タグとの交信機能を有するものであって、無線タグに質問信号を常時又は断続的に送信する。無線タグは、質問信号により動作電力を生成して、応答信号を返信する機能を有しているから、無線タグに設けたスイッチが動作すると、無線タグの信号送信機能が有効（又は無効）になり、応答信号の返信が開始（又は中止）する。検出装置は、この応答信号の開始（又は中止）を検知することにより、検知信号を制御装置へ出力し、機器に所定動作の実行を開始させるか、又は、機器を動作可能な状態に移行させる。
【００１０】
無線タグを便座に配設して着座センサとする場合、前記無線タグのスイッチを、加圧によって動作する感圧スイッチ又は人体との接触により体温で動作する感温スイッチで構成するとよい。無線タグを温度センサとする場合は、前記無線タグのスイッチを、環境温度によって動作する感温スイッチで構成するとよい。
【００１１】
ところで本発明に係るトイレ用機器の制御機構において、トイレ用機器の動作を操作するリモコンを前記無線タグにより構成し、当該無線タグを、異なる保持情報を持った複数のＩＣチップ及び各ＩＣチップの信号送信機能を個別に有効又は無効にできる複数のスイッチを有するものとすることができる。これにより、前記従来の第２の問題点を解決することが可能である。
【００１２】
さらに本発明は、トイレ用機器の制御機構における前記検出装置の検出アンテナを、複数の交信方向から最適な方向を選択可能なように構成する態様を提供する。
【００１３】
前記検出アンテナを、複数の交信方向から最適な方向を選択可能にするための一手段を掲げると、前記検出アンテナをリモコンの設置位置に向かって回動可能とする構成が挙げられる。この場合、検出アンテナを回動させる回動手段と、検出アンテナの回動角度変化に伴う無線タグとの交信感度の増減を測定する手段と、前記回動手段を制御して交信感度ができるだけ大きくなるように検出アンテナの回動角度を調節する手段とを備えることにより、自動角度調節手段を提供できる。
【００１４】
また前記検出アンテナを、交信方向が異なる複数のアンテナ部分から構成し、リモコン装置の設置位置に基づいて、特定のアンテナ部分を交信に使用するよう設定することも考えられる。さらには、前記検出アンテナを、交信方向が異なる複数のアンテナ部分から構成し、各アンテナ部分を順次使用するように設定することも考えられる。
【００１５】
なお本発明に係る制御機構において、前記検出装置及びこの検出装置に設けられる検出アンテナは、便器に載設され各種機器を収納するケース内に配設することが望ましい。
【発明の効果】
【００１６】
請求項１〜３に係る本発明によれば、例えば便座に設ける着座センサを無線タグで構成できるから、検知信号を無線で検出装置に出力できる。従って、便座が暖房便座の場合でも、着座センサがヒータ用配線からノイズの影響を受けることがなく、よって機器の誤動作を無くせる。
【００１７】
請求項４に係る本発明によれば、リモコンを、検知装置から送信される電波信号に応答して応答信号を返信する無線タグで構成したから、リモコンに電気配線を施すことが不要となり、リモコン設置箇所の自由度が増大する。また電池も使用しないから、電池残量の監視が不要となり動作信頼性が向上する。
【００１８】
請求項５〜９に係る本発明によれば、検出アンテナの交信方向を選択可能となるので、リモコン等が便器の左右（着座時の使用者から見た左右）いずれの側に配置されたとしても、検出アンテナの向きを受信感度が大きい方向に設定することができる。従って、リモコンとの交信が確実になり、リモコンにおける操作を機器の動作に確実に反映させることが可能である。
【００１９】
なお請求項１０に係る本発明に基づき、検出装置及び検出アンテナを、便器に載設されるケース内に配設する構成を採用した場合は、検出装置及び検出アンテナをあらかじめ組み込んだ便器を提供することができるから、施工現場において検出装置及び検出アンテナの設置作業が不要となり、また、それらの設置スペースをトイレの室内に別途確保する必要もなくなる。さらに見栄えも良い。
【発明を実施するための最良の形態】
【００２０】
（第１の実施形態）
図１に、本発明を適用したトイレの一実施形態を示す。同図に示すように本例では、トイレに設置した便器２１に取り付けた便座２２に無線タグＴを配置し、これを着座センサーとなした。また、壁面に設置した温水洗浄装置や温風乾燥装置等の操作用リモコンＲに無線タグＴを配置し、これを室温センサーとなした。他方、上記無線タグＴと電波信号を介して交信する検出装置１０、及び、検出装置１０に接続されて信号の送受信を行う検出アンテナ１１は、洗浄水タンク等が収納されるケース２３内に配置した。同様に、各種機器の動作を制御するための回路基板を主体とする制御装置（図示略）もまたケース２３内に収納され、前記検出装置１０と配線接続されている。なお、検出アンテナ１１については、ケース２３の内表面に配設するか、またはケース２３の壁部内に組み込む構成が可能である。検出装置１０、検出アンテナ１１及び制御装置をケース２３内に配置することにより、これらの設置スペースをトイレ内に別途確保する必要が無くなり、また、美観性も損なわれることがないという利点が得られる。
【００２１】
図２に示すように、便座２２に配置されて着座センサを構成する無線タグＴはＩＣチップ１・タグアンテナ２・着座スイッチ３から成り、他方、リモコンＲに配置されて室温センサーを構成する無線タグＴはＩＣチップ１・タグアンテナ２・温度スイッチ４から成っている。無線タグＴ及び検出装置１０それぞれに備えられるタグアンテナ２及び検出アンテナ１１は、電波を効率よく受信するため、平面内においてコイル状に巻回した面ループ状形態が採用される。しかし各アンテナ２，１１の形態は、交信に使用する電波の周波数や強度等に基づき変更することが可能であり、例えば棒状・パッチ状（素子状）・複合パッチ状・面状・スロット状・螺旋状・パターン状等、状況に応じ適宜採用することが可能である。なお無線タグＴの全体形状についても、板状・棒状・円盤状・直方体状などの様々な形態が可能である。
【００２２】
図３に示すように、無線タグＴにおけるＩＣチップ１は、例えば、無線通信インターフェースを介してアンテナ回路２と接続される受信部及び送信部、受信電波により電力を発生させる電源生成部、電波の復調・変調を制御するＭＰＵ等から成る制御部、当該無線タグの識別情報その他の情報を保持する不揮発性メモリ等から成る記憶部などより構成されている。上記無線通信インターフェース・受信部・送信部は、一体に構成される場合もある。また、記憶部を読み取り専用のメモリで構成してもよいが、所望により保持情報の更新又は変更等の書換を可能とする場合は、基板に外部通信インターフェースを備えることが望ましい。
【００２３】
便座２２に配置される無線タグＴの着座スイッチ３は、便座２２に使用者が着座したときに荷重が加わることによって、無線タグＴのアンテナ回路をＯＮ（又はＯＦＦ）にするものである。これには、バネ等の弾性体で付勢した常時開（又は常時閉）の開閉器を用いることができる。あるいは図４（Ａ）（Ｂ）に示すように、タグアンテナ２の端部に接合した電極３３，３４の間に感圧導電体３２を挟持した構造の感圧スイッチ３１を用いてもよい。この感圧スイッチ３１は、便座に人が着座すると、便器に受圧端子３５が当接して押圧されることにより、受圧端子３５から押圧力を受けた感圧導電体３２が電気抵抗値を変化させて通電可能となる。その結果、感圧導電体３２の両面に配置した電極３３，３４間で電気が導通可能となるので、タグアンテナ２の回路が閉じられ、無線タグＴと検出装置１０との間で交信可能となる。
【００２４】
さらには着座スイッチ３を、人体と接触して体温によりＯＮ（又はＯＦＦ）動作する温度スイッチで構成することも考えられる。温度スイッチの具体例としては、サーミスタやサーマルリードスイッチのほか、バイメタルを用いた構造（図５参照）などを挙げることができる。
【００２５】
次に、便座に設けた無線タグＴにより構成した前記制御機構の動作を説明する。なお着座スイッチ３は、平常時はアンテナ回路をＯＦＦに保持し、使用者が便座に着座すると、アンテナ回路をＯＮにして検出装置１０との交信を可能にするよう動作するものとする。本例の制御機構が制御対象とする機器は、例えば、温水洗浄装置・脱臭装置・暖房便座・温風乾燥装置・空調装置・音楽再生装置等であり、これらは便器２１内又はケース２３内に収納されている。検出装置１０は、適所に配置した無線タグＴへ向かって、常時又は間歇的に質問信号を発信する。便座に使用者が着座していない初期状態では、着座スイッチ３はＯＦＦであり、無線タグＴは応答信号を出力しない。そのため制御装置は、温水洗浄装置や温風乾燥装置の温風ファンを、使用者が誤ってスイッチ操作しても決して起動しない状態に保持する。
【００２６】
便座に使用者が着座して、着座スイッチ３がＯＮになると、無線タグＴが交信可能になる。従って、質問信号をタグアンテナ２で受信した無線タグＴは、そのエネルギーを利用して動作用電力を発生させ、記憶部に保持されている情報を、受信電波を変調させた応答信号として検出装置１０へ返信する。これにより検出装置１０が検知信号を制御装置へ出力し、検知信号を受けた制御装置は、温水洗浄装置や温風乾燥装置の温風ファンを動作可能な状態に移行させる。また同時に、脱臭装置の脱臭ファンや音楽再生装置が設けられている場合は、これらを起動させる。
【００２７】
なお、前記態様とは反対に、使用者の着座時に着座スイッチ３がＯＦＦとなり、無線タグＴからの応答信号が途絶したことを検知することによって、検出装置１０が検知信号を制御装置２０へ出力し、制御装置２０が所定の制御動作を実行するように設定することも妨げない。
【００２８】
リモコンＲに設けた無線タグＴを室温センサーとする場合、その温度スイッチ４には、温度条件に基づき動作して回路をＯＮ／ＯＦＦするもの、例えばサーミスタやサーマルリードスイッチ等が用いられる。あるいは、タグアンテナ２の途中に設けた開閉器をバイメタルで動作させる構成、例えば図５（Ａ）（Ｂ）に示す如く、バイメタル部４ａに連結したレバー４ｂの先端に作用部４ｃを設け、タグアンテナ２の途中に形成した切欠部分に、バネ等の復帰手段４ｅを備えた可動の導通部材４ｄを配設した構成の温度スイッチ４が考えられる。かかる構成の温度スイッチ４は、雰囲気温度が所定温度以上（又は以下）になると、バイメタル部４ａが変形することによりレバー４ｂを通じて作用部４ｃが移動し、その結果、導通部材４ｄがタグアンテナ２の切欠部分に押しつけられてタグアンテナ２の回路を閉じる結果、無線タグＴと検出装置１０との間で交信可能となる。
【００２９】
リモコンＲの無線タグＴは、温度スイッチ４により、例えば次のような機器の制御を行う。トイレの室温が温度スイッチ４の動作温度未満のとき、無線タグＴのアンテナ回路はＯＦＦであり、応答信号は出力されない。室温が温度スイッチ４の動作温度以上に上昇すると、アンテナ回路がＯＮになり、無線タグＴが応答信号の返信を開始する。これにより制御装置が、暖房便座ヒータ・温風ファン・空調装置などの発熱性機器類に対する通電を停止又は規制して無用の発熱を防止し、過熱による事故を回避する。
【００３０】
なお前記とは反対に、温度スイッチ３の動作については、平常時はタグアンテナ回路２をＯＮにし、所定温度以下で回路２をＯＦＦにする態様も考えられる。すなわち、室温が所定温度以上に上昇すると、温度スイッチ４がＯＦＦとなって無線タグＴの応答信号が途絶したことを検知することにより、検出装置１０が検知信号を制御装置へ出力し、制御装置が通電停止等の所定制御を実行するように設定することも可能である。
【００３１】
（第２の実施形態）
リモコンＲに設置される無線タグＴについては、図６に例示するように、一つの無線タグＴ内に、複数のＩＣチップ１と、各ＩＣチップ１ごとに接続した動作温度の設定が異なる（例えば１０，１５，２０，２５°Ｃ，…）複数の温度スイッチ３との組み合わせを並列に設けることも可能である。かかる構成によれば、どの温度スイッチ３が動作したかを検出装置１０で検知することにより、検知温度に応じた異なる動作を、暖房便座ヒータ・温風ファン・空調装置等の発熱性機器類に指令することが可能である。例えば、無線タグＴが設置されている環境温度（トイレ室温）が上昇するに従い、動作設定温度の低い方から順に温度スイッチ４が動作して、対応する無線タグＴが順に応答信号を出力する。これを検知装置１０が検知して、前記発熱性機器の発熱量を段階的に低減させる。そして、動作温度が最高に設定された温度スイッチ４が動作したときは、前記発熱性機器への通電を遮断するように設定することが考えられる。
【００３２】
（第３の実施形態）
図７は、無線タグＴと電波で交信する検出装置１０の検知アンテナ１１を、回動可能に構成した例を示すものである。この例は、温水洗浄装置等の動作を制御するリモコンＲを無線タグＴを用いて構成した場合にきわめて有用である。リモコンＲをトイレの壁面に取り付ける場合、図１０（Ａ）（Ｂ）に例示する如く、通常、便器２１の左右（着座時の使用者から見た左右）いずれかの壁面Ｗ１，Ｗ２に設置される。従って、検出アンテナ１１とリモコンＲとの交信方向は、便器２１に対し、左右いずれかの方向に傾斜することとなる。検出アンテナ１１が無指向性のときは問題が無いが、検出アンテナ１１が指向性を有しており、その交信感度（応答信号の受信強度）が便器２１の正面方向で最大となるように設定されていた場合、便器２１の左右に位置する無線タグＴとの交信感度が低くなり、その結果、リモコンＲの操作が機器の動作に正確に反映されなかったり、機器が反応しなかったりするおそれがある。そこで本実施形態は、検知アンテナ１１を、無線タグＴとの交信感度がなるべく大きくなる方向へ回動させることによって、上記問題の解決を図ったものである。
【００３３】
本例のトイレ用機器の制御機構は、図８に示す如く構成され、リモコンＲは、図９に示すように、複数のＩＣチップ１，タグアンテナ２，及び、各ＩＣチップ１ごとに設けた常時開のスイッチ３より成る無線タグＴで構成される。初期状態では、ＩＣチップ１はスイッチ３によりタグアンテナ２との接続がＯＦＦに設定され、従って検出装置１１からの質問信号に対する応答はなされない。スイッチ３を操作すると、ＩＣチップ１とタグアンテナ２との接続がＯＮになり、応答信号の返信が開始される、そして、スイッチ操作を行ったＩＣチップ１の保持情報を検出装置１０又は制御装置２０が読み取って、対応する機器に所定の動作を実行させる。
【００３４】
リモコンＲにはＩＣチップ１とスイッチ３との複数組が配置されるが、その組数は、リモコンＲで操作しようとする項目数に合わせて設定される。また本例では、図９に示すとおり、ＩＣチップ１とスイッチ３との各組を１つのタグアンテナ２に対し並列に接続する構成を採用した。各ＩＣチップ１の保持情報を異ならせておくことにより、タグアンテナ２を共通化しても、どのスイッチ操作を行ったかの識別が可能である。なお、ＩＣチップ１・タグアンテナ２・スイッチ３各一個ずつから成る独立したタグユニットを複数配置してリモコンＲを構成することも可能である。
【００３５】
前記リモコンＲとの間で電波による交信を行う検出アンテナ１１は回動可能に構成されるが、これは例えば、立設させた回転軸Ｘ（図７参照）にアンテナ１１を取り付け、手動により適宜角度だけ回動させることが考えられる。あるいは図８に示すように、検出アンテナ１１を、ステッピングモーター，ロータリーアクチュエータ等の適宜回動手段１２の回転軸に接続し、電動で検出アンテナ１１を必要角度だけ回動させることも考えられる。
【００３６】
この場合、検出アンテナ１１の回動角度変化に伴う交信感度（受信強度）の増減を測定する手段と、検出アンテナ１１を所望角度だけ回動させるように回動手段１２を制御する手段とを制御装置２０に備えることにより、検出アンテナ１１の自動角度調整手段を提供することができる。すなわち、最初の設置時に、質問信号を発信させながら検出アンテナ１１を左右に回動させると同時に、無線タグＴから返信される応答信号の受信強度の変化を制御装置２０で測定し、受信強度が最大になったときの最適回動角度を検出する。しかるのち、制御装置２０から回動手段１２へ、上記最適回動角度だけ検出アンテナ１１を回動させる指令を出力すれば、交信感度が大きくなるように検出アンテナ１１の向きを設定する自動角度調整を完了させることが可能である。かかる自動角度調整手段によれば、図１０（Ａ）（Ｂ）のように、リモコンＲを便器２１の左右いずれの壁面Ｗ１，Ｗ２に設置する場合であっても、検出アンテナ１１を交信感度が大きくなる方向に自動的に回動させるから、施工業者や使用者に負担をかけることなく、リモコンＲとの交信を確実にすることができる。
【００３７】
図１１は、検知アンテナ１１の異なる形態を示すものである。図示するように、検出装置１０及び制御装置２０をケース２３に収納される洗浄水タンク２４の上部に配置する場合、検出アンテナ１１を洗浄水タンク２４の上方から垂下させ、回動手段１２により、洗浄水タンク２４の前方で回動させるように構成することが考えられる。これにより、ケース２３内のスペースの有効利用が可能となる。なお本例にあっては、検出アンテナ１１が回動時に洗浄水タンク２４と干渉するのを避けるため、洗浄水タンク２４の前面部を湾曲面に形成することが望ましい。
【００３８】
（第４の実施形態）
図１２に示す実施形態は、検出アンテナ１１を、交信方向の異なる複数のアンテナ部分１１ａ，１１ｂ，１１ｃから成るものとし、それらのうちからリモコンＲとの交信感度が最も大きくなるアンテナ部分を選択して使用するように構成したものである。すなわち、リモコンＲが便器２１の左方に設置されたときは左側のアンテナ部分１１ａを交信に使用し、リモコンＲが便器２１の右方に設置されたときは右側のアンテナ部分１１ｃを交信に使用するように設定することにより、確実に大きい交信感度を得ることができる。なお、使用するアンテナ部分の選択操作は、手動によってもよいが、応答信号の受信強度を測定する手段を設けて、自動で選択されるように構成することも可能である。
【００３９】
（第５の実施形態）
図１２に示す如く、検出アンテナ１１を交信方向の異なる複数のアンテナ部分１１ａ，１１ｂ，１１ｃから成るものとした場合において、各アンテナ部分１１ａ，１１ｂ，１１ｃをリモコンＲとの交信に順番に使用するよう設定することも考えられる。すなわち、交信に使用するアンテナ部分を一定時間ごとに切り替えることにより、リモコンＲの設置位置にかかわらず、いずれかのアンテナ部分で交信が可能となる。また本例によれば、リモコンＲが一定位置に固定されない場合、例えば使用者が携帯している場合でも、確実に交信できるという利点が得られる。
【図面の簡単な説明】
【００４０】
【図１】本発明の第１の実施形態を示す斜視図である。
【図２】本発明の第１の実施形態に関するものであって、トイレ用機器の制御機構の概略構成を示すブロック図である。
【図３】本発明に係るトイレ用機器の制御機構に利用する無線タグの一例を概略的に示すブロック図である。
【図４】本発明の第１の実施形態に関するものであって、無線タグで着座センサーを構成する一例を示すものであり、図（Ａ）は無線タグ全体の概略構成図、図（Ｂ）は着座スイッチの拡大断面図である。
【図５】本発明の第１の実施形態に関するものであって、無線タグで室温センサーを構成する一例を示すものであり、図（Ａ）はアンテナ回路をＯＦＦにしている状態の無線タグの概略構成図、図（Ｂ）はアンテナ回路をＯＮにしている状態の温度スイッチの概略図である。
【図６】本発明の第２の実施形態に関するものであって、無線タグの異なる例を概略的に示すブロック図である。
【図７】本発明の第３の実施形態に関するものであって、便器に設置される検出装置を示す斜視図である。
【図８】本発明の第３の実施形態に関するものであって、トイレ用機器の制御機構の概略構成を示すブロック図である。
【図９】本発明の第３の実施形態に関するものであって、トイレ用機器の制御機構に利用するリモコンの一例を概略的に示すブロック図である。
【図１０】本発明の第３の実施形態に関するものであって、図（Ａ）はリモコンを便器の左方に設置した状況を示す平面図、図（Ｂ）はリモコンを便器の右方に設置した状況を示す平面図である。
【図１１】本発明の第３の実施形態に関するものであって、便器に設置される検出装置の異なる例を示す斜視図である。
【図１２】本発明の第４の実施形態に関するものであって、便器に設置される検出装置を示す平面図である。
【符号の説明】
【００４１】
Ｔ…無線タグ  Ｒ…リモコン  １…ＩＣチップ  ２…タグアンテナ  ３…着座スイッチ  ４…温度スイッチ  １０…検出装置  １１…検出アンテナ  １２…回動手段  ２０…制御装置  ２１…便器  ２２…便座  ２３…ケース  
【図１】
2005323991.tif 000003
【図２】
2005323991.tif 000004
【図３】
2005323991.tif 000005
【図４】
2005323991.tif 000006
【図５】
2005323991.tif 000007
【図６】
2005323991.tif 000008
【図７】
2005323991.tif 000009
【図８】
2005323991.tif 000010
【図９】
2005323991.tif 000011
【図１０】
2005323991.tif 000012
【図１１】
2005323991.tif 000013
【図１２】
2005323991.tif 000014